(57)【特許請求の範囲】
【請求項１】
少なくとも２つの発光管と、前記少なくとも２つの発光管を発光させる少なくとも２つのトリガ手段とを互いに間隔をもたせて筐体内部に配置したストロボ装置において、
前記少なくとも２つのトリガ手段には、ほぼ全面に渡ってグラウンドパターンが形成されたフレキシブルプリント基板が電気的に接続され、該フレキシブルプリント基板は、前記筐体の内部において、前記少なくとも２つの発光管どうしの間と、前記少なくとも２つのトリガ手段どうしの間と、前記少なくとも２つの発光管と前記少なくとも２つのトリガ手段の間と、をシールドするように折り曲げられた形態で配置されている、ことを特徴とするストロボ装置。
【発明の詳細な説明】
【０００１】
【発明の属する技術分野】
本発明はストロボ装置に関するものである。
【０００２】
【従来の技術】
ストロボ装置は例えばカメラ等において従来より用いられており、主として、発光管と、この発光管を発光させるトリガコイルと、発光管に対応して設けられた反射傘とから構成される。
【０００３】
一方、高倍率のズームレンズを備えたカメラが普及しており、このようなカメラに内蔵されたストロボ装置には、ズームのワイド側とテレ側とで異なる画角に対応するために、複数の発光管とこれに対応した複数の反射傘を備えたものがある。
【０００４】
ところで、複数の発光管と反射傘とをカメラの限られたスペース内に配置する場合にはスペースをかせぐために、反射傘どうし、及びこの反射傘とトリガーコイルとをできるだけ近接させて配置する必要がある。
【０００５】
ところが複数の反射傘を接近させた場合には、複数の発光管のうち、一方のみを発光させようとして一方の反射傘に発光トリガ電圧を印加すると、複数の反射傘どうしの容量結合によって他方の反射傘に誘起電圧が発生してしまい、該他方の発光管が誤発光してしまう場合がある。
【０００６】
そこでこのようなストロボ装置に関する改善が種々提案されている。例えば、特開平９−５８４２号公報は２つの反射傘の間にフレキシブルプリント基板を挿入することで誘導電圧を下げる方法を開示している。また、トリガ漏れによる未発光の問題も指摘されているが、特開平９−６１８９５号公報は、発光管としてのキセノン管と電気的に接続するフレキシブルプリント基板によりトリガ漏れを防止することを開示している。
【０００７】
【発明が解決しようとする課題】
しかしながら、上記した特開平９−５８４２号公報では、２つの反射傘間の誘導電圧の発生のみに注目しており、トリガコイル間あるいは、トリガコイル−反射傘間の誘導電圧による誤発光の問題については考慮していない。また、シールド部材は別体にて構成されており、トリガ漏れによる未発光については何ら記載していない。
【０００８】
また、特開平９−６１８９５号公報においては、発光管の近くにトリガコイルを配置した場合のトリガコイルと反射傘あるいは発光管間のトリガ漏れによる未発光や、トリガコイルどうし、反射傘どうし、トリガコイルと反射傘間の誘導電圧による誤発光については記載していない。
【０００９】
本発明はこのような課題に着目してなされたものであり、その目的とするところは、部品点数を増やすことなしに誘導電圧による誤発光や、トリガ漏れによる未発光を防止した小型のストロボ装置を提供することにある。
【００１０】
【課題を解決するための手段】
上記の目的を達成するために、少なくとも２つの発光管と、前記少なくとも２つの発光管を発光させる少なくとも２つのトリガ手段とを互いに間隔をもたせて筐体内部に配置したストロボ装置において、前記少なくとも２つのトリガ手段には、ほぼ全面に渡ってグラウンドパターンが形成されたフレキシブルプリント基板が電気的に接続され、該フレキシブルプリント基板は、前記筐体の内部において、前記少なくとも２つの発光管どうしの間と、前記少なくとも２つのトリガ手段どうしの間と、前記少なくとも２つの発光管と前記少なくとも２つのトリガ手段の間と、をシールドするように折り曲げられた形態で配置されている。
【００１３】
【発明の実施の形態】
以下、図面を参照して本発明の実施形態を詳細に説明する。
【００１４】
本実施形態は複数（ここでは２個）の発光管（ここではＸｅ管）を持つストロボ装置において、２個のトリガコイル（トリガ手段）間、トリガコイル−反射傘間、２個の反射傘間を、トリガコイルへの配線パターンを備え、トリガコイルに電気的に接続される１枚のフレキシブルプリント基板（以下、単にフレキと呼ぶ）によりシールドしたことを特徴とし、このような構成によって、部品点数を増やすことなしに誘導電圧による誤発光やトリガ漏れによる未発光を防止しつつ、トリガコイル、反射傘間の間隔をできるだけ小さくしてストロボ装置全体を小型にすることができる。
【００１５】
図１は本発明に係るストロボ装置が適用されるカメラの概観図である。図１（Ａ）、（Ｂ）に示すようにストロボ装置１００はカメラの上部に設けられ、図はＴ側反射傘１５とＷ側反射傘１６とを備えたストロボ装置がポップアップした状態を示している。
【００１６】
図２は本ストロボ装置において用いられるフレキ１２の展開図である。ベース部１２−５にはトリガコイルへのＧＮＤ（グラウンド）パターン（銅パターン）１２−１が設けられるとともに、トリガコイルの端子に接続される接点部１２−２，１２−３と、ストロボ回路へのリード線が接続される接点部１２−４とを備えている。接点部１２−２，１２−３，１２−４以外はカバーレイで覆われている。
【００１７】
図３及び図４は本実施形態に係るストロボ装置の構成を示しており，図３はストロボ装置の各要素を分解した状態を示す分解斜視図である。
【００１８】
図３において、Ｔ側トリガコイル１１は、その端子１１Ａ，１１Ｂが、フレキ１２のＧＮＤパターン１２−１が設けられたベース部１２−５から延在した部分である接点部１２−３に設けられた開口１２Ａ，１２Ｂに挿入されることでフレキ１２上の所定の位置に配置される。また、Ｗ側トリガコイル１３は、その端子１３Ａ，１３Ｂが、フレキ１２のベース部１２−５から延在した部分である接点部１２−２に設けられた開口１２Ｃ，１２Ｄに挿入されることでフレキ１２上の所定の位置に配置される。Ｔ側トリガコイル１１及びＷ側トリガコイル１３が取り付けられたフレキ１２は受け台１０上に配置される。
【００１９】
また、表面に導電コートが施されたキセノン（Ｘｅ）管１９は、ゴムバンド２１の開口２１Ａ，２１Ｂを通してアルミ材からなるＴ側反射傘１５に挿入されるとともに、その側面にはＴ側トリガコイル１１の電極１１Ｃに接続されたリード線が半田付けされる。キセノン（Ｘｅ）管１９の両端部にはリード線５０Ａ，５０Ｂがそれぞれ接続される。同様にして、表面に導電コートが施されたキセノン（Ｘｅ）管２０は、ゴムバンド２２の開口２２Ａ，２２Ｂを通してアルミ材からなるＷ側反射傘１６に挿入されるとともに、その側面にはＷ側トリガコイル１３の電極１３Ｃに接続されたリード線が半田付けされる。ゴムバンド２１，２２はその形状が異なっていてもよい。キセノン（Ｘｅ）管２０の両端部にはリード線５１Ａ，５１Ｂがそれぞれ接続される。
【００２０】
キセノン（Ｘｅ）管１９が挿入されたＴ側反射傘１５と、キセノン（Ｘｅ）管２０が挿入されたＷ側反射傘１６とは、アクリル透明部材からなり、キセノン管１９，２０からの光線が通過する部分を有する窓部１７に取り付けられる。
【００２１】
図４は上記したストロボ装置の各要素を組み立てた状態を示す断面図である。図３で説明した各要素と同一のものについては同一の参照番号が付けられている。
【００２２】
図４において、外装部１４と受け台１０と窓部１７と飾り板１８によりストロボ装置の各要素を収納するのに必要な空間を有する筐体を形成している。受け台１０は筐体の内部空間に延在する突出部を有し、その先端は２つに分離して突起部１０Ａ、１０Ｂを構成している。また、窓部１７は筐体の内部空間に延在する突起部１７Ａを有する。フレキ１２はこのような受け台１０の突起部１０Ａ及び１０Ｂを有する突出部の片方の表面全体に渡って当該表面形状にほぼ沿うように折り曲げられて配置されるとともに、窓部１７の突起部１７Ａに接触するまで延在した後、外装部１４の方向へ折り返されて外装部１４の内壁にほぼ到達するまで延在している。
【００２３】
上記した受け台１０及び窓部１７の形状とフレキ１２の配置により、筐体の内部空間は、Ｔ側トリガコイル１１、Ｗ側トリガコイル１３、Ｔ側反射傘１５、Ｗ側反射傘１６、Ｗ側反射傘１６の各々を配置するための４つの空間に分離される。
【００２４】
例えば、Ｔ側トリガコイル１１は、外装部１４の内壁と、突起部１０Ａを含む受け台１０とにより画成される第１の空間に収納されている。また、Ｗ側トリガコイル１３は、外装部１４の内壁と突起部１０Ａ及び１０Ｂとフレキ１２とにより画成される第２の空間に収納されている。また、キセノン（Ｘｅ）管１９が挿入されたＴ側反射傘１５は、窓部１７の内壁及び突起部１７Ａ、受け台１０の内壁及び突起部１０Ｂを含む突出部、フレキ１２により画成される第３の空間に収納されている。また、キセノン（Ｘｅ）管２０が挿入されたＷ側反射傘１６は、窓部１７の内壁及び突起部１７Ａ、外装部１４の内壁、フレキ１２により画成される第４の空間に収納されている。
【００２５】
上記した構成により、１枚のフレキが、トリガコイルどうしの間（ここではＴ側トリガコイル１１とＷ側トリガコイル１３との間の空間）と、トリガコイルと反射傘との間（ここではＴ側トリガコイル１１及びＷ側トリガコイル１３と、Ｔ側反射傘１５及びＷ側反射傘１６との間の空間）と、反射傘どうしの間（ここではＴ側反射傘１５とＷ側反射傘１６との間の空間）とをシールドすることを可能にし、これによって、部品点数を増やすことなしに誘導電圧による誤発光や、トリガ漏れによる未発光を防止した小型のストロボ装置を提供することができる。
【００２６】
なお、上記した具体的実施形態には以下のような発明が含まれている。
【００２７】
（１）  少なくとも２つの発光管と、この発光管に各々対応して設けられた反射傘とを有するストロボ装置において、
上記発光管を発光させる少なくとも２つのトリガ手段と、
上記トリガ手段に電気的に接続されるプリント基板と、
を具備し、
上記プリント基板は、トリガ手段とトリガ手段との間の空間、トリガ手段と反射傘との間の空間及び反射傘と反射傘との間の空間に配置される構成である。
【００２８】
（２）  （１）において、上記プリント基板は，１枚のフレキシブルプリント基板である。
【００２９】
（３）  （１）又は（２）において、上記プリント基板は接地されている。
【００３０】
（４）  ストロボ装置を有するカメラにおいて、
電圧が印加されることにより閃光を発生する少なくとも２つの発光管と、
上記発光管を発光させる少なくとも２つのトリガ手段と、
上記トリガ手段に電気的に接続されるプリント基板と、
を具備し、
上記プリント基板は、トリガ手段とトリガ手段との間の空間に配置される構成である。
【００３１】
（５）  ストロボ装置を有するカメラにおいて、
電圧が印加されることにより閃光を発生する発光管と、
上記発光管からの閃光を反射する反射傘と、
上記発光管を発光させるトリガ手段と、
上記トリガ手段に電気的に接続されるプリント基板と、
を具備し、
上記プリント基板は、上記トリガ手段と上記反射傘との間の空間に配置される構成である。
【００３２】
（１）〜（５）によれば、部品点数を増やすことなしに誘導電圧による誤発光や、トリガ漏れによる未発光を防止した小型のストロボ装置を提供することができる。
【００３３】
【発明の効果】
請求項１、２、または３に記載の発明によれば、部品点数を増やすことなしに誘導電圧による誤発光や、トリガ漏れによる未発光を防止した小型のストロボ装置を提供することができる。
【図面の簡単な説明】
【図１】本発明に係るストロボ装置が適用されるカメラの概観図である。
【図２】本ストロボ装置において用いられるフレキの展開図である。
【図３】ストロボ装置の各要素を分解した状態を示す分解斜視図である。
【図４】図３に示すストロボ装置の各要素を組み立てた状態を示す断面図である。
【符号の説明】
１０…受け台、
１１…Ｔ側トリガコイル、
１２…フレキシブルプリント基板（フレキ）、
１３…Ｗ側トリガコイル、
１５…Ｔ側反射傘、
１６…Ｗ側反射傘、
１７…窓部、
１８…飾り板、
１９、２０…キセノン（Ｘｅ）管、
２１、２２…ゴムバンド。
【図１】
0004157207.tif 000002
【図２】
0004157207.tif 000003
【図３】
0004157207.tif 000004
【図４】
0004157207.tif 000005